(57)【要約】  実施形態の電池は、筐体と、端子と、電極体と、集電部と、接合部と、を備えている。端子は、筐体に支持されている。電極体は、筐体に収容され、互いに極性が異なるシート状の一対の電極と前記一対の電極間に位置したセパレータとが互いに重ねられた状態で中心軸回りに巻かれている。集電部は、電極体の中心軸の軸方向の端部に設けられ、電極の一部であって他の電極およびセパレータを介さずに互いに重ねられた複数の集電タブを有し、端子と電気的に接続されている。接合部は、互いに重ねられた複数の集電タブの縁部を接合している。
2019088047.tif 000002
【特許請求の範囲】
【請求項１】
筐体と、
前記筐体に支持された端子と、
前記筐体に収容され、互いに極性が異なるシート状の一対の電極と前記一対の電極間に位置したセパレータとが互いに重ねられた状態で中心軸回りに巻かれた電極体と、
前記電極体の前記中心軸の軸方向の端部に設けられ、前記電極の一部であって他の前記電極および前記セパレータを介さずに互いに重ねられた複数の集電タブを有し、前記端子と電気的に接続された集電部と、
互いに重ねられた複数の前記集電タブの縁部を接合した接合部と、
を備えた電池。
【請求項２】
前記接合部は、互いに重ねられた複数の前記集電タブの縁部を部分的に接合した、請求項１に記載の電池。
【請求項３】
前記電極は、集電体と、活物質を含み前記集電体の一部に積層された活物質含有層と、を有し、
前記集電部は、前記集電体のうち前記活物質含有層が積層されていない非積層部によって構成され、
前記縁部に、前記非積層部のうち厚さが最も厚い肉厚部が設けられた、請求項１または２に記載の電池。
【請求項４】
前記非積層部は、前記活物質含有層から延びた第一部分と、前記縁部、前記第一部分から離れるにつれて厚さが厚くなる厚さ変化部、および前記肉厚部を有した第二部分と、を有し、
前記肉厚部の厚さは、前記第一部分の厚さの１．２倍以上である、請求項３に記載の電池。
【請求項５】
前記集電体は、アルミニウムを含んだ、請求項３または４に記載の電池。
【請求項６】
前記集電部には、前記縁部を含んだ切断部が設けられ、
前記接合部は、前記切断部に設けられた、請求項１〜５のうちいずれか一つに記載の電池。
【請求項７】
前記集電部には、前記縁部を含んだ切断部が設けられ、
前記接合部は、前記切断部に設けられ、
前記電極体は、当該電極体の前記軸方向と直交する第一方向の両端部間に設けられ、前記第一方向に前記電極が延びた一対の延部と、前記電極体の前記第一方向の前記両端部に設けられ、一対の前記延部の一方から他方に前記電極が折り返された一対の折返部と、を有し、
前記集電部は、前記端子と電気的に接続され、前記切断部が設けられ、一対の前記延部の一部を含み一対の前記折返部のうち少なくとも一方を含まない接続部を有した、請求項２〜５のうちいずれか一つに記載の電池。
【請求項８】
互いに重ねられた前記複数の集電タブは、互いの前記縁部が揃えられた、請求項１〜７のうちいずれか一つに記載の電池。
【発明の詳細な説明】
【技術分野】
【０００１】
本発明の実施形態は、電池に関する。
【背景技術】
【０００２】
従来、シート状の一対の電極と一対の電極間に位置したセパレータとが互いに重ねられた状態で巻かれた電極体と、電極体に設けられ、電極の複数の部分が重ねられた集電部と、を備えた電池が知られている。
【先行技術文献】
【特許文献】
【０００３】
【特許文献１】特許第４５１５３７３号公報
【発明の概要】
【発明が解決しようとする課題】
【０００４】
この種の電池では、耐振動性が向上した新規な構成が得られれば、好ましい。
【課題を解決するための手段】
【０００５】
実施形態の電池は、筐体と、端子と、電極体と、集電部と、接合部と、を備えている。前記端子は、前記筐体に支持されている。前記電極体は、前記筐体に収容され、互いに極性が異なるシート状の一対の電極と前記一対の電極間に位置したセパレータとが互いに重ねられた状態で中心軸回りに巻かれている。前記集電部は、前記電極体の前記中心軸の軸方向の端部に設けられ、前記電極の一部であって他の前記電極および前記セパレータを介さずに互いに重ねられた複数の集電タブを有し、前記端子と電気的に接続されている。前記接合部は、互いに重ねられた複数の前記集電タブの縁部を接合している。
【図面の簡単な説明】
【０００６】
【図１】図１は、第１実施形態の電池の模式的かつ例示的な斜視図である。
【図２】図２は、第１実施形態の電池の模式的かつ例示的な分解斜視図である。
【図３】図３は、第１実施形態の電池の電極体の模式的かつ例示的な分解斜視図であって、電極体の一部が展開された状態を示す図である。
【図４】図４は、第１実施形態の電極体の集電部の模式的かつ例示的な図であって、中心軸の軸方向からの視線での図である。
【図５】図５は、第１実施形態の電極体の一部の模式的かつ例示的な断面図である。
【図６】図６は、第１実施形態の集電部の一部の模式的かつ例示的な断面図である。
【図７】図７は、第１実施形態の集電部の一部の模式的かつ例示的な断面図である。
【図８】図８は、第１実施形態の製造途中の電極体の模式的かつ例示的な斜視図である。
【図９】図９は、第１実施形態の製造途中の電極体の模式的かつ例示的な正面図である。
【図１０】図１０は、第１実施形態の製造途中の電極体の模式的かつ例示的な平面図である。
【図１１】図１１は、第１実施形態の製造途中の電極体の模式的かつ例示的な側面図である。
【図１２】図１２は、第２実施形態の電池の電極体の模式的かつ例示的な平面図である。
【図１３】図１３は、第３実施形態の電池の電極体の模式的かつ例示的な平面図である。
【図１４】図１４は、第４実施形態の電池の電極体の模式的かつ例示的な正面図である。
【図１５】図１５は、第４実施形態の電池の電極体の模式的かつ例示的な側面図である。
【図１６】図１６は、第５実施形態の電池の電極体の模式的かつ例示的な正面図である。
【図１７】図１７は、第５実施形態の電池の電極体の模式的かつ例示的な側面図である。
【図１８】図１８は、第６実施形態の電池の電極体の模式的かつ例示的な正面図である。
【図１９】図１９は、第６実施形態の電池の電極体の模式的かつ例示的な側面図である。
【図２０】図２０は、第７実施形態の電池の電極体の模式的かつ例示的な正面図である。
【図２１】図２１は、第７実施形態の電池の電極体の模式的かつ例示的な側面図である。
【図２２】図２２は、第８実施形態の電池の電極体の模式的かつ例示的な正面図である。
【図２３】図２３は、第８実施形態の電池の電極体の模式的かつ例示的な側面図である。
【図２４】図２４は、第９実施形態の電池の電極体の模式的かつ例示的な正面図である。
【図２５】図２５は、第９実施形態の電池の電極体の模式的かつ例示的な側面図である。
【図２６】図２６は、第９実施形態の電池の電極体の模式的かつ例示的な斜視図である。
【図２７】図２７は、第１０実施形態の電池の電極体の模式的かつ例示的な正面図である。
【図２８】図２８は、第１０実施形態の電池の電極体の模式的かつ例示的な側面図である。
【図２９】図２９は、第１１実施形態の電池の電極体の模式的かつ例示的な正面図である。
【図３０】図３０は、第１１実施形態の電池の電極体の模式的かつ例示的な側面図である。
【図３１】図３１は、第１２実施形態の電池の電極体の模式的かつ例示的な正面図である。
【図３２】図３２は、第１３実施形態の電池の電極体の模式的かつ例示的な正面図である。
【図３３】図３３は、第１３実施形態の電池の電極体の模式的かつ例示的な側面図である。
【図３４】図３４は、図３３のXXXIV-XXXIV線に沿った断面を概略的に示す図である。
【図３５】図３５は、第１４実施形態の電池の電極体の模式的かつ例示的な正面図である。
【図３６】図３６は、第１４実施形態の電池の電極体の模式的かつ例示的な側面図である。
【図３７】図３７は、図３６のXXXVII-XXXVII線に沿った断面を概略的に示す図である。
【図３８】図３８は、第１５実施形態の電池の電極体の模式的かつ例示的な正面図である。
【図３９】図３９は、第１５実施形態の電池の電極体の模式的かつ例示的な側面図である。
【図４０】図４０は、図３９のXL-XL線に沿った断面を概略的に示す図である。
【図４１】図４１は、第１６実施形態の電池の電極体の模式的かつ例示的な正面図である。
【図４２】図４２は、第１６実施形態の電池の電極体の模式的かつ例示的な側面図である。
【発明を実施するための形態】
【０００７】
以下、図面を参照して、実施形態について説明する。なお、以下の例示的な複数の実施形態には、同様の構成要素が含まれている。よって、以下では、同様の構成要素には共通の符号が付されるとともに、重複する説明が省略される。
【０００８】
また、以下の各図では、便宜上、方向が規定されている。Ｘ方向は、電池１０の筐体２０の短手方向（厚さ方向）に沿い、Ｙ方向は、筐体２０の長手方向（幅方向）に沿い、Ｚ方向は、筐体２０の上下方向（高さ方向）に沿っている。Ｘ方向、Ｙ方向、およびＺ方向は、互いに直交している。また、以下では、中心軸Ａｘの軸方向を単に軸方向と称する。また、本明細書において、序数は、部材（部品）や部位等を区別するために便宜上付与されており、優先順位や順番を示すものではない。
【０００９】
また、以下に示される実施形態の構成（技術的特徴）、ならびに当該構成によってもたらされる作用および効果は、あくまで一例である。本発明は、以下の実施形態に開示される構成以外によっても実現可能であるとともに、基本的な構成によって得られる種々の効果のうち少なくとも一つを得ることが可能である。
【００１０】
＜第１実施形態＞
図１は、本実施形態の電池１０の模式的かつ例示的な斜視図である。図２は、本実施形態の電池１０の模式的かつ例示的な分解斜視図である。図１，２に示されるように、電池１０は、筐体２０と、正極端子２３と、負極端子２４と、電極体２５と、正極リード２６と、負極リード２７と、を有している。電池１０は、例えば、リチウムイオン二次電池である。正極端子２３および負極端子２４は、筐体２０に支持された状態で筐体２０の外部に露出している。また、電極体２５、正極リード２６、および負極リード２７は、筐体２０に収容されている。正極端子２３および負極端子２４は、端子の一例である。正極端子２３および負極端子２４は、電極端子とも称される。
【００１１】
筐体２０は、Ｘ方向に薄い扁平な直方体状に構成されている。筐体２０は、複数の壁部２０ａ〜２０ｆを有している。壁部２０ａおよび壁部２０ｃは、いずれも、筐体２０の厚さ方向（Ｘ方向）と交差する方向（本実施形態では、例えば直交する方向、ＹＺ平面）に沿って延びている。壁部２０ａおよび壁部２０ｃは、筐体２０の厚さ方向（Ｘ方向）に間隔を空けて互いに平行に設けられている。また、壁部２０ｂおよび壁部２０ｄは、いずれも、筐体２０の幅方向（Ｙ方向）と交差する方向（本実施形態では、例えば直交する方向、ＸＺ平面）に沿って延びている。壁部２０ｂおよび壁部２０ｄは、筐体２０の幅方向（Ｙ方向）に間隔を空けて互いに平行に設けられている。壁部２０ａ〜２０ｄは、側壁部等とも称される。また、壁部２０ａ，２０ｃは、側壁部のうちの長辺部の一例であり、壁部２０ｂ，２０ｄは、側壁部のうちの短辺部の一例である。また、壁部２０ｅおよび壁部２０ｆは、いずれも、筐体２０の上下方向（Ｚ方向）と交差する方向（本実施形態では、例えば直交する方向、ＸＹ平面）に沿って延びている。壁部２０ｅおよび壁部２０ｆは、筐体２０の上下方向（Ｚ方向）に間隔を空けて互いに平行に設けられている。壁部２０ｅは、下壁部や、底壁部等とも称される。また、壁部２０ｆは、上壁部や、天壁部等とも称される。筐体２０は、外装缶やケースとも称される。
【００１２】
また、筐体２０は、複数の部品（分割体）が組み合わせられて構成されることができる。具体的には、本実施形態では、筐体２０は、少なくとも壁部２０ａ〜２０ｅを含む収容部材２１と、少なくとも壁部２０ｆを含む蓋部材２２と、を有している。収容部材２１の内側には、電極体２５や、正極リード２６、負極リード２７等を収容する開口部が設けられている。すなわち、収容部材２１は、一端側（上端側）が開放された直方体状の箱型に構成されている。蓋部材２２は、四角形状（長方形状）の板状に構成され、収容部材２１の開口部を塞いだ状態で、収容部材２１と結合（一体化）されている。また、収容部材２１と蓋部材２２とは、例えば溶接などによって気密および液密に結合されうる。収容部材２１や蓋部材２２は、例えば、金属材料（例えば、アルミニウムや、アルミニウム合金、ステンレス等）で構成されている。なお、壁部２０ａ〜２０ｅの内面には、収容部材２１と正極リード２６および負極リード２７等の収容物とを絶縁する絶縁部材が設けられうる。絶縁部材は、例えば、絶縁シートや成形品等によって構成されうる。収容部材２１および蓋部材２２は、筐体部材とも称される。
【００１３】
また、図２に示されるように、蓋部材２２には、正極端子２３、負極端子２４、電極体２５、正極リード２６、および負極リード２７が取り付けられている。蓋部材２２は、正極端子２３、負極端子２４、電極体２５、正極リード２６、および負極リード２７とともに、蓋組立体１１を構成している。
【００１４】
正極端子２３および負極端子２４は、蓋部材２２（壁部２０ｆ）に設けられている。具体的には、正極端子２３は、蓋部材２２の長手方向（Ｙ方向、筐体２０の幅方向）の一端部に設けられ、負極端子２４は、蓋部材２２の長手方向（Ｙ方向、筐体２０の幅方向）の他端部に設けられている。正極端子２３は、壁部２０ｆを貫通した状態で壁部２０ｆ（筐体２０）に支持され、筐体２０の内側で正極リード２６と結合されている。すなわち、正極端子２３は、正極リード２６と電気的に接続されている。また、負極端子２４は、壁部２０ｆを貫通した状態で壁部２０ｆ（筐体２０）に支持され、壁部２０ｆ（筐体２０）の内側で負極リード２７に結合されている。すなわち、負極端子２４は、負極リード２７と電気的に接続されている。
【００１５】
また、正極端子２３と壁部２０ｆとの間、および負極端子２４と壁部２０ｆとの間には、それぞれ、シール部材２８（ガスケット、介在物）が設けられている。シール部材２８は、合成樹脂材料やガラスなどの絶縁体で構成されている。シール部材２８は、正極端子２３および負極端子２４と壁部２０ｆとの間を気密および液密にシール（封止）するとともに電気的に絶縁している。また、壁部２０ｆには、正極端子２３と負極端子２４との間に注液口（不図示）が設けられている。注液口から、筐体２０内に電解液が注液される。注液口は、注液後に塞がれる。
【００１６】
図３は、本実施形態の電池１０の電極体２５の模式的かつ例示的な分解斜視図であって、電極体２５の一部が展開された状態を示す図である。図３に示されるように、電極体２５は、シート状の正極３１と、シート状の負極３２と、複数のシート状のセパレータ３３と、を有している。電極体２５は、発電要素として機能する。図３では、理解のために、セパレータ３３にハッチングが付されている。正極３１および負極３２は、互いに極性が異なる一対の電極の一例である。電極体２５は、電極群や捲回体とも称される。
【００１７】
電極体２５は、正極３１および負極３２と、正極３１および負極３２間に介在したセパレータ３３と、が互いに重ねられ且つ巻かれた構成であり、扁平形状の外観を呈している。すなわち、正極３１と負極３２とは、セパレータ３３を介して重ねられている。正極３１、負極３２、およびセパレータ３３の巻き回数は、一例として３８回である。なお、正極３１、負極３２、およびセパレータ３３の巻き回数は、３８回以外であってもよい。正極３１と負極３２とは、セパレータ３３によって互いに離間させられている。また、正極３１は、二つのセパレータ３３の間に位置している。正極３１、負極３２、およびセパレータ３３が、互いに重ねられた状態で中心軸Ａｘ回りに渦巻状に巻かれて、扁平にプレスされることによって、電極体２５が作製される。電極体２５は、中心軸Ａｘが筐体２０の幅方向（Ｙ方向）に沿う姿勢で筐体２０に収容されている。中心軸Ａｘは、中心線や捲回中心線とも称される。
【００１８】
図２，３に示されるように、電極体２５は、軸方向の両端部２５ａ，２５ｂと、軸方向と交差（直交）する第一方向Ｄ１の両端部２５ｃ，２５ｄと、を有している。第一方向Ｄ１は、筐体２０の上下方向（Ｚ方向）に沿っている。端部２５ｃは、電極体２５の第一方向Ｄ１の一方側（上方）の端部であり、端部２５ｄは、電極体２５の第一方向Ｄ１の他方側（下方）の端部である。
【００１９】
また、電極体２５は、基体部２５ｅと、一対の折返部２５ｆ，２５ｇと、を有している。基体部２５ｅおよび一対の折返部２５ｆ，２５ｇは、それぞれ正極３１、負極３２、およびセパレータ３３を含む。基体部２５ｅは、第一方向Ｄ１に正極３１、負極３２およびセパレータ３３が延びた一対の延部２５ｅａ，２５ｅｂを有している。各延部２５ｅａ，２５ｅｂは、電極体２５の第一方向Ｄ１の両端部２５ｃ，２５ｄ間に設けられている。また、延部２５ｅａ，２５ｅｂの間に中心軸Ａｘが位置している。各延部２５ｅａ，２５ｅｂでは、正極３１、負極３２、およびセパレータ３３が第一方向Ｄ１に延びており、正極３１、負極３２、およびセパレータ３３は、折り返されていない。基体部２５ｅは、直状部や中間部とも称され、折返部２５ｆ，２５ｇは、Ｒ部とも称される。
【００２０】
一対の折返部２５ｆ，２５ｇは、電極体２５の第一方向Ｄ１の両端部２５ｃ，２５ｄに設けられている。各折返部２５ｆ，２５ｇでは、一対の延部２５ｅａ，２５ｅｂの一方から他方に、正極３１、負極３２、およびセパレータ３３が折り返されている。すなわち、一対の折返部２５ｆ，２５ｇは、基体部２５ｅの第一方向Ｄ１の両端部に接続されている。一対の折返部２５ｆ，２５ｇは、基体部２５ｅによって接続されている。すなわち、一対の折返部２５ｆ，２５ｇの間に基体部２５ｅが介在している。
【００２１】
図３に示されるように、正極３１は、正極集電体４１と、正極活物質含有層４２と、を有している。図３では、理解のために、正極活物質含有層４２にハッチングが付されている。正極集電体４１は、集電体の一例であり、正極活物質含有層４２は、活物質含有層の一例である。正極集電体４１は、基板やシート、導電体とも称される。
【００２２】
正極集電体４１は、アルミニウム箔やアルミニウム合金等の金属箔によって構成されている。すなわち、正極集電体４１は、アルミニウムを含む。正極集電体４１は、略矩形（四角形）のシート状（帯状）に形成されている。なお、正極集電体４１は、他の材料によって作られてもよく、他の形状に形成されてもよい。
【００２３】
正極活物質含有層４２は、正極集電体４１の両面（表面および裏面）に、それぞれ設けられている。なお、正極活物質含有層４２は、正極集電体４１の一方の面にのみ設けられてもよい。正極活物質含有層４２は、正極集電体４１の両面を部分的に覆っている。すなわち、正極活物質含有層４２は、正極集電体４１の一部に積層されている。正極活物質含有層４２の長手方向の長さは、正極集電体４１の長手方向の長さにほぼ等しい。正極活物質含有層４２の短手方向の長さ（幅）は、正極集電体４１の短手方向の長さ（幅）よりも短い。
【００２４】
正極集電体４１は、正極非積層部４８Ａを有している。正極非積層部４８Ａは、正極集電体４１のうち正極活物質含有層４２が積層されていない部分によって構成されている。正極非積層部４８Ａは、帯状の正極集電体４１の、幅方向における一方の端部に設けられている。正極集電体４１の、幅方向における他方の端部は、正極活物質含有層４２に覆われている。正極非積層部４８Ａは、正極集電体４１および正極活物質含有層４２と平行に延びている。正極非積層部４８Ａは、非積層部の一例である。正極非積層部４８Ａは、未塗工部とも称される。
【００２５】
正極活物質含有層４２は、正極活物質と、導電剤と、バインダー（結着剤）とを含む。正極活物質含有層４２は、例えば、正極活物質、導電剤、およびバインダーを溶媒に懸濁させ、この懸濁物（スラリー）を正極集電体４１に塗工、乾燥、およびプレスすることにより形成される。
【００２６】
正極活物質は、例えば、種々の酸化物または硫化物である。正極活物質は、例えば、二酸化マンガン（ＭｎＯ２）、酸化鉄、酸化銅、酸化ニッケル、リチウムマンガン複合酸化物（例えば、ＬｉｘＭｎ２Ｏ４またはＬｉｘＭｎＯ２）、リチウムニッケル複合酸化物（例えば、ＬｉｘＮｉＯ２）、リチウムコバルト複合酸化物（ＬｉｘＣｏＯ２）、リチウムニッケルコバルト複合酸化物（例えば、ＬｉｘＮｉ１−ｙ−ｚＣｏｙＭｚＯ２。Ｍは、Ａｌ、Ｃｒ、およびＦｅよりなる群から選択される少なくとも１種類の元素。０≦ｙ≦０．５、０≦ｚ≦０．１）、リチウムマンガンコバルト複合酸化物（例えば、ＬｉｘＭｎ１−ｙ−ｚＣｏｙＭｚＯ２。Ｍは、Ａｌ、Ｃｒ、およびＦｅよりなる群から選択される少なくとも１種類の元素。０≦ｙ≦０．５、０≦ｚ≦０．１）、リチウムマンガンニッケル複合化合物（例えば、ＬｉｘＭｎ１／３Ｎｉ１／３Ｃｏ１／３Ｏ２やＬｉｘＭｎ１／２Ｎｉ１／２Ｏ２のようなＬｉｘＭｎｙＮｉｙＭ１−２ｙＯ２。Ｍは、Ｃｏ、Ｃｒ、Ａｌ、およびＦｅよりなる群より選択される少なくとも１種類の元素。１／３≦ｙ≦１／２）、スピネル型リチウムマンガンニッケル複合酸化物（例えば、ＬｉｘＭｎ２−ｙＮｉｙＯ４）、オリビン構造を有するリチウムリン酸化物（例えば、ＬｉｘＦｅＰＯ４、ＬｉｘＦｅ１−ｙＭｎｙＰＯ４、ＬｉｘＣｏＰＯ４）、硫酸鉄（例えば、Ｆｅ２（ＳＯ４）３）、または、バナジウム酸化物（例えば、Ｖ２Ｏ５）である。正極活物質は、ポリアニリンやポリピロールのような導電性ポリマー材料、ジスルフィド系ポリマー材料、イオウ（Ｓ）、および、フッ化カーボンのような有機材料および無機材料であってもよい。なお、上記に好ましい範囲の記載がないｘ、ｙ、ｚは、０以上１以下の範囲であることが好ましい。
【００２７】
より好ましい正極活物質は、例えば、リチウムマンガン複合酸化物、リチウムニッケル複合酸化物、リチウムコバルト複合酸化物、リチウムニッケルコバルト複合酸化物、リチウムマンガンニッケル複合化合物、スピネル型リチウムマンガンニッケル複合酸化物、リチウムマンガンコバルト複合酸化物、またはリチウムリン酸鉄である。これらの正極活物質を有している電池１０は、高い電圧が得られる。
【００２８】
導電剤は、例えば、アセチレンブラック、カーボンブラック、黒鉛、コークス、カーボンファイバー、グラフェン等のうち１種類または２種類以上である。バインダーとしては、例えば、ポリテトラフルオロエチレン（ＰＴＦＥ）、ポリフッ化ビニリデン（ＰＶＤＦ）、フッ素系ゴム、スチレンブタジエンゴム、エチレン−ブタジエンゴム（ＳＢＲ）、ポリプロピレン（ＰＰ）、ポリエチレン（ＰＥ）、カルボキシメチルセルロース（ＣＭＣ）、ポリイミド（ＰＩ）、ポリアクリルイミド（ＰＡＩ）、ＰＶＤＦの水素およびフッ素のうち少なくとも１つを他の置換基で置換した変性ＰＶＤＦ、フッ化ビニリデン−６フッ化プロピレンの共重合体、ポリフッ化ビニリデン−テトラフルオロエチレン−６フッ化プロピレンの３元共重合体、アクリル系樹脂を挙げることができる。バインダーの種類は、１種類または２種類以上にすることができる。
【００２９】
図３に示されるように、負極３２は、負極集電体４５と、負極活物質含有層４６と、を有している。図３では、理解のために、負極活物質含有層４６にハッチングが付されている。負極集電体４５は、集電体の一例であり、負極活物質含有層４６は、活物質含有層の一例である。負極集電体４５は、基板やシート、導電体とも称される。
【００３０】
負極集電体４５は、例えば銅箔やアルミニウム箔、アルミニウム合金箔等の金属箔によって構成されている。すなわち、負極集電体４５は、アルミニウム箔やアルミニウム合金箔で構成された場合、アルミニウムを含む。負極集電体４５は、略矩形（四角形）のシート状（帯状）に形成される。なお、負極集電体４５は、他の材料によって作られてもよく、他の形状に形成されてもよい。
【００３１】
負極活物質含有層４６は、負極集電体４５の両面に、それぞれ設けられている。すなわち、負極活物質含有層４６は、負極集電体４５の一部に積層されている。なお、負極活物質含有層４６は、負極集電体４５の一方の面にのみ設けられてもよい。ただし、負極活物質含有層４６は、正極活物質含有層４２に向く面に設けられる。負極活物質含有層４６は、負極集電体４５の面を部分的に覆っている。すなわち、負極活物質含有層４６は、負極集電体４５の一部に積層されている。負極活物質含有層４６の長手方向の長さは、負極集電体４５の長手方向の長さにほぼ等しい。負極活物質含有層４６の短手方向の長さ（幅）は、負極集電体４５の短手方向の長さ（幅）よりも短い。
【００３２】
負極集電体４５は、負極非積層部４８Ｂを有している。負極非積層部４８Ｂは、負極集電体４５のうち負極活物質含有層４６が積層されていない部分によって構成されている。負極非積層部４８Ｂは、帯状の負極集電体４５の、幅方向における一方の端部に設けられている。負極集電体４５の、幅方向における他方の端部は、負極活物質含有層４６に覆われている。負極非積層部４８Ｂは、負極集電体４５および負極活物質含有層４６と平行に延びている。負極非積層部４８Ｂは、非積層部の一例である。負極非積層部４８Ｂは、未塗工部とも称される。
【００３３】
負極活物質含有層４６は、負極活物質と、導電剤と、バインダー（結着剤）とを含む。負極活物質含有層４６は、例えば、粉末状の負極活物質、導電剤、およびバインダーを溶媒に懸濁させ、この懸濁物（スラリー）を負極集電体４５に塗工、乾燥、およびプレスすることにより形成される。プレスは、負極活物質と負極集電体４５との電気的接触を増加させるために行なわれる。
【００３４】
負極活物質は、特に限定されるものではない。負極活物質は、例えば、リチウムチタン複合酸化物（チタン酸リチウム）である。リチウムチタン複合酸化物は、例えば、Ｌｉ４＋ｘＴｉ５Ｏ１２（ｘは充放電反応により−１≦ｘ≦３の範囲で変化する）で表されるスピネル型チタン酸リチウム、ラムステライド型Ｌｉ２＋ｘＴｉ３Ｏ７（ｘは充放電反応により−１≦ｘ≦３の範囲で変化する）、または、ＴｉとＰ、Ｖ、Ｓｎ、Ｃｕ、ＮｉおよびＦｅよりなる群から選択される少なくとも１種類の元素とを含有している金属複合酸化物である。ＴｉとＰ、Ｖ、Ｓｎ、Ｃｕ、ＮｉおよびＦｅよりなる群から選択される少なくとも１種類の元素とを含有している金属複合酸化物としては、例えば、ＴｉＯ２−Ｐ２Ｏ５、ＴｉＯ２−Ｖ２Ｏ５、ＴｉＯ２−Ｐ２Ｏ５−ＳｎＯ２、ＴｉＯ２−Ｐ２Ｏ５−ＭｅＯ（ＭｅはＣｕ、ＮｉおよびＦｅよりなる群から選択される少なくとも１つの元素）、ＴｉＯ２−Ｐ２Ｏ５−ＭＯ（ＭはＣｕ、ＮｉおよびＦｅからなる群より選択される少なくとも１つの元素）を挙げることができる。この金属複合酸化物は、結晶性が低く、結晶相とアモルファス相が共存またはアモルファス相単独で存在したミクロ構造であることが好ましい。このようなミクロ構造の金属複合酸化物は、サイクル性能を大幅に向上させることができる。これらの金属複合酸化物は、充電によりリチウムが挿入されることでリチウムチタン複合酸化物に変化する。リチウムチタン複合酸化物のうち、スピネル型チタン酸リチウムがサイクル特性に優れ、好ましい。また、リチウムチタン複合酸化物（例えば、スピネル型のチタン酸リチウム）は、ケイ素およびスズ等から成る群のうちの１以上の物質を含むことが好ましい。
【００３５】
負極活物質含有層４６は、他の負極活物質として、例えば、黒鉛質材料、炭素質材料または金属化合物を含んでもよい。黒鉛質材料は、例えば、黒鉛（天然黒鉛、人造黒鉛）である。炭素質材料は、例えば、コークス、炭素繊維（気相成長炭素繊維、メソフェーズピッチ系炭素繊維）、球状炭素、熱分解気相炭素質物、または樹脂焼成炭素である。より好ましい炭素質材料は、気相成長炭素繊維、メソフェーズピッチ系炭素繊維、および球状炭素である。
【００３６】
金属化合物は、例えば、金属硫化物または金属窒化物である。金属硫化物は、例えば、ＴｉＳ２のような硫化チタン、ＭｏＳ２のような硫化モリブデン、またはＦｅＳ、ＦｅＳ２およびＬｉｘＦｅＳ２のような硫化鉄である。金属窒化物は、例えばリチウムコバルト窒化物（例えばＬｉｓＣｏｔＮ、０＜ｓ＜４，０＜ｔ＜０．５）である。また、負極活物質としては、カルコゲン化合物（例えば、二硫化チタン、二硫化モリブデン、セレン化ニオブ等）、軽金属（例えば、アルミニウム、アルミニウム合金、マグネシウム合金、リチウム、リチウム合金等）であってもよい。
【００３７】
導電剤は、例えば、アセチレンブラック、カーボンブラック、黒鉛、コークス、カーボンファイバー、グラフェン等のうち１種類または２種類以上である。バインダーとしては、例えば、ポリテトラフルオロエチレン（ＰＴＦＥ）、ポリフッ化ビニリデン（ＰＶＤＦ）、フッ素系ゴム、スチレンブタジエンゴム、エチレン−ブタジエンゴム（ＳＢＲ）、ポリプロピレン（ＰＰ）、ポリエチレン（ＰＥ）、カルボキシメチルセルロース（ＣＭＣ）、ポリイミド（ＰＩ）、ポリアクリルイミド（ＰＡＩ）、ＰＶＤＦの水素およびフッ素のうち少なくとも１つを他の置換基で置換した変性ＰＶＤＦ、フッ化ビニリデン−６フッ化プロピレンの共重合体、ポリフッ化ビニリデン−テトラフルオロエチレン−６フッ化プロピレンの３元共重合体、アクリル系樹脂を挙げることができる。バインダーの種類は、１種類または２種類以上にすることができる。
【００３８】
また、正極非積層部４８Ａと負極非積層部４８Ｂとは、互いに反対方向に突出している。すなわち、互いに重ねられるとともに巻かれた正極３１、負極３２、およびセパレータ３３の一方の端部から正極非積層部４８Ａが、軸方向の一方側（Ｙ方向）に突出し、他方の端部から負極非積層部４８Ｂが軸方向の他方側（Ｙ方向の反対方向）に突出している。すなわち、正極３１と負極３２とは、互いにずらされて重ねられている。以後、正極非積層部４８Ａおよび負極非積層部４８Ｂの総称として、非積層部４８を用いる場合がある。
【００３９】
図２，３に示されるように、上記構成の電極体２５では、巻かれた状態の正極３１、負極３２、およびセパレータ３３の互いに重なった部分によって、扁平形状の発電部５０が構成されている。また、巻かれた状態の正極非積層部４８Ａによって、発電部５０の一方の端部から延びた正極集電部５１Ａが構成されている。すなわち、正極集電部５１Ａは、正極集電体４１のうち正極活物質含有層４２が積層されていない部分（正極非積層部４８Ａ）を含んでいる。以上から分かるように、正極集電部５１Ａは、正極３１によって構成されている。また、電極体２５の軸方向の端部２５ａは、正極集電体４１および正極非積層部４８Ａの端部でもある。正極集電部５１Ａは、正極端子２３と電気的に接続されている。正極集電部５１Ａは、集電部の一例である。
【００４０】
また、巻かれた状態の負極非積層部４８Ｂによって、発電部５０の他方の端部から延びた負極集電部５１Ｂが構成されている。すなわち、負極集電部５１Ｂは、負極集電体４５のうち負極活物質含有層４６が積層されていない部分（負極非積層部４８Ｂ）を含んでいる。以上から分かるように、負極集電部５１Ｂは、負極３２によって構成されている。また、電極体２５の軸方向の端部２５ｂは、負極集電体４５および負極非積層部４８Ｂの端部でもある。負極集電部５１Ｂは、負極端子２４と電気的に接続されている。以後、正極集電部５１Ａおよび負極集電部５１Ｂの総称として、集電部５１を用いる場合がある。負極集電部５１Ｂは、集電部の一例である。
【００４１】
図４は、本実施形態の電極体２５の集電部５１の模式的かつ例示的な図であって、軸方向からの視線での図である。図３，４に示されるように、正極集電部５１Ａは、互いに重ねられた複数の集電タブ５１Ａａを有している。複数の集電タブ５１Ａａは、正極非積層部４８Ａすなわち正極３１の一部であり、他の電極である負極３２およびセパレータ３３を介さずに互いに重ねられている。集電タブ５１Ａａ同士の境界部は、例えば、正極集電部５１Ａの第一方向Ｄ１の両端部に設けられうる。図２では、集電タブ５１Ａａ同士の境界部が実線Ｌ１で示されている。なお、境界部の位置は、これに限定されず、任意の位置であってよい。また、図４では、正極集電部５１Ａおよび負極集電部５１Ｂに含まれる同様の構成の説明のために、正極集電部５１Ａおよび負極集電部５１Ｂが区別されずに示されている。
【００４２】
また、負極集電部５１Ｂは、互いに重ねられた複数の集電タブ５１Ｂａを有している。集電タブ５１Ｂａは、負極非積層部４８Ｂすなわち負極３２の一部であり、他の電極である正極３１およびセパレータ３３を介さずに互いに重ねられている。本実施形態では、集電タブ５１Ｂａ同士の境界部は、例えば、負極集電部５１Ｂの第一方向Ｄ１の両端部に設けられうる。図２では、集電タブ５１Ｂａ同士の境界部が実線Ｌ２で示されている。なお、境界部の位置は、これに限定されず、任意の位置であってよい。以後、正極集電部５１Ａの集電タブ５１Ａａおよび負極集電部５１Ｂの集電タブ５１Ｂａの総称として、集電タブ５１ａを用いる場合がある。
【００４３】
図２，３に示されるように、本実施形態では、集電タブ５１ａの縁部５１ｂは、集電部５１の発電部５０とは反対側の端部２５ａ，２５ｂに設けられて、露出している。そして、各集電部５１において互いに重ねられた複数の集電タブ５１ａは、互いの縁部５１ｂが揃えられている。本実施形態では、互いに重ねられた複数の集電タブ５１ａの縁部５１ｂの位置が、軸方向に関し、揃えられている。すなわち、互いに重ねられた複数の集電タブ５１ａの縁部５１ｂは、軸方向において、同じ位置に位置している。別の言い方をすると、互いに重ねられた複数の集電タブ５１ａの縁部５１ｂは、軸方向と交差（直交）する所定の平面上に位置している。
【００４４】
また、各集電部５１には、切断部５１ｄが設けられている。切断部５１ｄは、集電部５１の発電部５０とは反対側の端部２５ａ，２５ｂにおいて、集電部５１の第一方向Ｄ１の両端部５１ｇ，５１ｈに渡って設けられている。切断部５１ｄは、集電タブ５１ａの縁部５１ｂを含んでいる。すなわち、切断部５１ｄは、集電部５１の発電部５０とは反対側の端部２５ａ，２５ｂおよび集電タブ５１ａの縁部５１ｂを構成している。切断部５１ｄは、電極体２５の製造の際に、電極体２５の基材６０（図８）において、集電部５１から除去部６０ｃ（図８）が溶断されることにより形成されたものである。切断部５１ｄは、切断箇所や切断面とも称される。
【００４５】
図５は、本実施形態の電極体２５の一部の模式的かつ例示的な断面図である。図２，４，５に示されるように、各集電部５１には、接合部５２が設けられている。なお、図４，５では、理解のために、隣り合う二つの集電タブ５１ａ間の隙間Ｓが誇張されている。接合部５２は、集電部５１において互いに重ねられた複数の集電タブ５１ａの縁部５１ｂを接合している。接合部５２は、基材６０（図８）において集電部５１に対して除去部６０ｃ（図８）が溶断された際に、縁部５１ｂが溶融後に固化することにより形成されたものである。すなわち、接合部５２は、切断部５１ｄに設けられ、縁部５１ｂを構成している。接合部５２は、互いに重ねられた複数の集電タブ５１ａの縁部５１ｂを部分的に接合している。本実施形態では、複数の接合部５２が、互いに離間して設けられている。すなわち、各集電部５１には、複数の接合部５２が分散して設けられている。なお、図２，４，５に示された接合部５２の数や位置は、一例であって、これに限定されない。また、接合部５２は、一つであってもよい。
【００４６】
図６は、本実施形態の集電部５１の一部の模式的かつ例示的な断面図である。図７は、本実施形態の集電部５１の一部の模式的かつ例示的な断面図である。図５，６に示されるように、各非積層部４８は、第一部分４８ａと、第二部分４８ｂと、を有している。なお、図５では、正極非積層部４８Ａの第一部分４８ａおよび第二部分４８ｂが示されている。
【００４７】
第一部分４８ａは、正極活物質含有層４２または負極活物質含有層４６から延びている。第一部分４８ａは、集電タブ５１ａの一部を構成している。第二部分４８ｂは、第一部分４８ａと接続され、集電タブ５１ａの他部を構成している。第二部分４８ｂは、縁部５１ｂ、厚さ変化部４８ｃ、および肉厚部４８ｄ、を有している。厚さ変化部４８ｃは、第一部分４８ａから離れるにつれて厚さが厚くなる。肉厚部４８ｄは、非積層部４８のうち厚さが最も厚い部分であり、集電タブ５１ａのうち厚さが最も厚い部分でもある。肉厚部４８ｄの厚さは、例えば、第一部分４８ａの厚さ（最大厚さ）の１．２倍以上である。図５，６では、肉厚部４８ｄの厚さが、厚さＴ１で示され、第一部分４８ａの厚さ（最大厚さ）が、厚さＴ２で示されている。図６の例では、例えば、肉厚部４８ｄの厚さＴ１は、６７μｍであり、第一部分４８ａの厚さＴ２は、２０μｍである。図７には、図６に示された非積層部４８に設けられたある集電タブ５１ａとは別の集電タブ５１ａが示されている。図７の例では、例えば、肉厚部４８ｄの厚さＴ１は、２０μｍであり、第一部分４８ａの厚さＴ２は、１３μｍである。なお、肉厚部４８ｄの厚さＴ１および第一部分４８ａの厚さＴ２は、上記の各例に限定されない。第一部分４８ａは、薄肉部とも称される。
【００４８】
また、図２に示されるように、正極集電部５１Ａでは、一例として、正極非積層部４８Ａの互いにＸ方向に重なった部分同士であって正極リード２６の脚部２６ａとＸ方向に重ねられた部分同士が超音波接合等によって接合されている。そして、正極集電部５１Ａの少なくとも先端部のＸ方向の幅は、電極体２５のＸ方向の幅よりも狭い（図２）。また、負極集電部５１Ｂでは、一例として、負極非積層部４８Ｂの互いにＸ方向に重なった部分同士であって負極リード２７の脚部２７ａとＸ方向に重ねられた部分同士が超音波接合等によって接合されている。そして、負極集電部５１Ｂの少なくとも先端部のＸ方向の幅は、電極体２５のＸ方向の幅よりも狭い（図２）。なお、図３では、正極非積層部４８Ａの、互いにＸ方向に重なった部分同士、および、負極非積層部４８Ｂの、互いにＸ方向に重なった部分同士は、それぞれ接合される前の状態が示されている。
【００４９】
図３等に示されるセパレータ３３は、絶縁性を有し、略矩形（四角形）のシート状（帯状）に形成されている。セパレータ３３の短手方向の長さ（幅）は、正極集電体４１および負極集電体４５の短手方向の長さ（幅）よりも短い。なお、セパレータ３３の寸法はこれに限られない。
【００５０】
セパレータ３３は、例えば、ポリエチレンやポリプロピレン等のポリオレフィン、セルロース、ポリエチレンテレフタレート、ポリエステル、ポリビニルアルコール、ポリイミド、ポリアミド、ポリアミドイミド、ポリテトラフルオロエチレン、およびビニロン等のポリマーで作られた多孔質フィルム、または不織布である。薄さと機械的強度の観点から好ましいセパレータの例に、セルロース繊維を含む不織布を挙げることができる。セパレータ３３は１種類の材料で作られても、組み合わされた２種類以上の材料で作られてもよい。
【００５１】
電解液としては、例えば、非水電解質を用いることができる。非水電解質は、例えば、電解質を有機溶媒に溶解することにより調製される液状非水電解質、または、液状電解質と高分子材料を複合化したゲル状非水電解質であってよい。
【００５２】
液状非水電解質は、電解質を０．５モル／Ｌ以上２．５モル／Ｌ以下の濃度で有機溶媒に溶解したものであることが好ましい。
【００５３】
有機溶媒に溶解させる電解質の例には、過塩素酸リチウム（ＬｉＣｌＯ4）、六フッ化リン酸リチウム（ＬｉＰＦ6）、四フッ化ホウ酸リチウム（ＬｉＢＦ4）、六フッ化砒素リチウム（ＬｉＡｓＦ6）、トリフルオロメタンスルホン酸リチウム（ＬｉＣＦ3ＳＯ3）、およびビストリフルオロメチルスルホニルイミドリチウム（ＬｉＮ（ＣＦ3ＳＯ2）2）のようなリチウム塩、ならびに、これらの混合物が含まれる。電解質は高電位でも酸化し難いものであることが好ましく、ＬｉＰＦ6が最も好ましい。
【００５４】
有機溶媒の例には、プロピレンカーボネート（ＰＣ）、エチレンカーボネート（ＥＣ）、およびビニレンカーボネートのような環状カーボネートと、ジエチルカーボネート（ＤＥＣ）、ジメチルカーボネート（ＤＭＣ）、およびエチルメチルカーボネート（ＥＭＣ）のような鎖状カーボネートと、テトラヒドロフラン（ＴＨＦ）、２メチルテトラヒドロフラン（２−ＭｅＴＨＦ）、およびジオキソラン（ＤＯＸ）のような環状エーテルと、ジメトキシエタン（ＤＭＥ）、およびジエトキシエタン（ＤＥＥ）のような鎖状エーテルと、プロピオン酸メチル（ＭＰ）およびプロピオン酸エチル（ＥＰ）のようなプロピオン酸エステルと、γ−ブチロラクトン（ＧＢＬ）と、アセトニトリル（ＡＮ）と、スルホラン（ＳＬ）とが含まれる。これらの有機溶媒は、単独で、または混合溶媒として用いることができる。
【００５５】
図２に示されるように、正極リード２６は、電極体２５の正極集電部５１Ａと正極端子２３との間に介在し、正極集電部５１Ａと正極端子２３とを電気的に接続している。正極リード２６は、一対の脚部２６ａと、接続壁部（不図示）と、を有している。一対の脚部２６ａは、筐体２０の上下方向（Ｚ方向）に延びているとともに、筐体２０の厚さ方向（Ｘ方向）に互いに間隔を空けて設けられている。一対の脚部２６ａは、正極集電部５１Ａを挟んだ状態で、正極集電部５１Ａに接合されている。また、正極集電部５１Ａのうち一対の脚部２６ａによって挟まれた部分では、積層された複数の集電タブ５１ａが互いに接合されている。一対の脚部２６ａおよび正極集電部５１Ａの接合および積層された複数の集電タブ５１ａの接合は、例えば、超音波接合等によりなされる。一対の脚部２６ａの蓋部材２２（壁部２０ｆ）側の端部は、接続壁部によって互いに接続されている。接続壁部は、蓋部材２２の内面に沿って設けられ、正極端子２３に結合されている。正極リード２６は、金属材料などの導電材料によって構成されている。
【００５６】
負極リード２７は、電極体２５の負極集電部５１Ｂと負極端子２４との間に介在し、負極集電部５１Ｂと負極端子２４とを電気的に接続している。負極リード２７は、一対の脚部２７ａと、接続壁部（不図示）と、を有している。一対の脚部２７ａは、筐体２０の上下方向（Ｚ方向）に延びているとともに、筐体２０の厚さ方向（Ｘ方向）に互いに間隔を空けて設けられている。一対の脚部２７ａは、負極集電部５１Ｂを挟んだ状態で、負極集電部５１Ｂに接合されている。また、負極集電部５１Ｂのうち一対の脚部２７ａによって挟まれた部分では、積層された複数の集電タブ５１ａが互いに接合されている。一対の脚部２７ａおよび負極集電部５１Ｂの接合および積層された複数の集電タブ５１ａの接合は、例えば、超音波接合等によりなされる。一対の脚部２７ａの蓋部材２２（壁部２０ｆ）側の端部は、接続壁部によって互いに接続されている。接続壁部は、蓋部材２２の内面に沿って設けられ、負極端子２４に結合されている。負極リード２７は、金属材料などの導電材料によって構成されている。
【００５７】
次に、電池１０の製造方法について説明する。図８は、本実施形態の製造途中の電極体２５の模式的かつ例示的な斜視図である。図９は、本実施形態の製造途中の電極体２５の模式的かつ例示的な正面図である。図１０は、本実施形態の製造途中の電極体２５の模式的かつ例示的な平面図である。図１１は、本実施形態の製造途中の電極体２５の模式的かつ例示的な側面図である。
【００５８】
図８〜１１に示されるように、正極３１および負極３２と、正極３１および負極３２間に介在したセパレータ３３と、が互いに重ねられて中心軸Ａｘ回りに巻かれることにより、電極体２５を含む基材６０が作製される。次に、切断装置（不図示）によって、基材６０の軸方向の両端部６０ａ，６０ｂの所定の部分である除去部６０ｃが切断され、電極体２５が作製される。この切断によって、切断部５１ｄが形成される。図８〜１０には、電極体２５と除去部６０ｃとの境界線Ｌ３が、一点鎖線によって示されている。基材６０の切断は、集電部５１（正極非積層部４８Ａ、負極非積層部４８Ｂ）に対する熱による切断（溶断）によって行なわれる。例えば、本実施形態では、切断装置としてのレーザ照射装置からのレーザ光が、境界線Ｌ３に沿って集電部５１（正極非積層部４８Ａおよび負極非積層部４８Ｂ）に照射されることにより、集電部５１（正極非積層部４８Ａおよび負極非積層部４８Ｂ）が加熱されて溶断される。この溶断によって、集電部５１の切断部５１ｄに接合部５２（図２，４，５）が形成される。すなわち、本実施形態では、接合部５２は、集電部５１において互いに重ねられた複数の集電タブ５１ａが、レーザ光によって溶融された後、固化することにより形成される。
【００５９】
上記のレーザ光は、例えば、シングルモードファイバーレーザであってもよいし、マルチモードファイバーレーザであってもよい。シングルモードファイバーレーザは、比較的レーザ光の径が細くエネルギー密度が高いという特徴を有するため、互いに重ねられた複数の集電タブ５１ａを任意の位置で効率よく切断することができる。シングルモードファイバーレーザの場合には、レーザ光の径、すなわち切断幅が比較的細くなり、各接合部５２の大きさが比較的小さくなる。一方、マルチモードファイバーレーザの場合には、レーザ光の径、すなわち切断幅が比較的太くなり、各接合部５２の大きさが比較的大きくなる。また、レーザ光の照射は、複数回に分割して行なってもよい。この場合、１回当たりのレーザ照射装置の出力を小さくすることができる。このため、エネルギーロスを小さくできたり、切断部５１ｄに加わる熱の影響を小さくすることができる。
【００６０】
なお、基材６０の切断は、レーザ光による切断に限定されない。例えば、基材６０の切断は、超音波切断等により行なわれてもよい。また、切断装置は、電極体２５の集電部５１を含む基材６０の端部６０ａ，６０ｂをプレス可能なプレス装置を有していてもよい。プレス装置によって、基材６０の端部６０ａ，６０ｂをプレスすることにより、集電タブ５１ａ同士の距離が小さくなって集電タブ５１ａ間の隙間が小さくなるので、レーザ光の焦点が合いやすくなる。また、集電タブ５１ａ同士が溶融しやすくなる。また、切断のタクトタイムが短縮されやすい。
【００６１】
次に、正極集電部５１Ａおよび負極集電部５１Ｂと、蓋部材２２に結合された正極リード２６および負極リード２７とが、超音波接合により接合される。この際、例えば、正極集電部５１Ａおよび負極集電部５１Ｂは、正極リード２６および負極リード２７とともに、超音波接合機のホーンおよびアンビルに挟まれて厚さが部分的に薄くなる。
【００６２】
次に、蓋部材２２と一体化された状態の正極リード２６、負極リード２７、および電極体２５が、収容部材２１内に挿入される。そして、蓋部材２２が、収容部材２１の開口部（上端開口部）を塞いだ状態で、収容部材２１に結合される。その後、電解液が、蓋部材２２の注液口を介して筐体２０内に所定量だけ注入される。当該所定量は、例えば、筐体２０内の電極体２５が電解液によって十分に浸される量である。そして、注液口が封止される。
【００６３】
次に、非積層部４８の肉厚部４８ｄの厚さＴ１（図６等）や、第一部分４８ａの厚さＴ２（図６等）等の測定方法について説明する。まず、測定前に、縁部５１ｂ（切断部５１ｄ）を含む非積層部４８の表面（外面）を研磨する研磨処理が行なわれる。この研磨処理では、非積層部４８の表面に機械研磨がされた後に、イオンミリング加工等の化学研磨法により当該表面の加工層が除去される。なお、研磨処理では、非積層部４８の表面に機械研磨がされた後に、当該表面に水酸化ナトリウム水溶液等による化学処理が行なわれてもよい。測定では、例えば、走査型電子顕微鏡が用いられ、観察倍率５００倍等で非積層部４８の撮像が行なわれる。そして、撮像結果から非積層部４８の各部の厚さが測定される。なお、観察倍率は、上記に限られない。
【００６４】
以上のように、本実施形態では、電極体２５の集電部５１において互いに重ねられた複数の集電タブ５１ａの縁部５１ｂが、接合部５２によって接合されている。このような構成によれば、例えば、電池１０に振動が加わった場合でも、集電部５１において互いに重ねられた複数の集電タブ５１ａがずれにくい。よって、集電部５１ひいては電極体２５の変形が抑制されやすい。したがって、集電部５１の集電タブ５１ａの縁部５１ｂが接合されていない構成に比べて、集電部５１および電極体２５の強度および剛性を高くすることができるので、集電部５１および電極体２５の耐振動性が向上する。
【００６５】
また、本実施形態では、接合部５２は、集電部５１において互いに重ねられた複数の集電タブ５１ａの縁部５１ｂを部分的に接合している。このような構成によれば、例えば、電極体２５において正極活物質含有層４２と負極活物質含有層４６との間で発生したガスを、互いに重ねられた複数の集電タブ５１Ａａにおいて接合部５２が設けられていない部分の集電タブ５１Ａａ間の隙間Ｓから、電極体２５の外部に放出することができる。
【００６６】
また、本実施形態では、集電部５１の集電タブ５１ａの縁部５１ｂに、非積層部４８のうち厚さが最も厚い部分である肉厚部４８ｄが設けられている。このような構成によれば、肉厚部４８ｄは、比較的強度が高いので、縁部５１ｂの強度を高くすることができる。よって、集電部５１および電極体２５の耐振動性が向上する。
【００６７】
＜他の実施形態＞
次に、図１２〜４２に示される第２〜第１６実施形態について説明する。第２〜第１６実施形態の電池１０は、第１実施形態の電池１０と同様の構成を備えている。よって、第２〜第１６実施形態によっても、第１実施形態と同様の構成に基づく同様の効果が得られる。
【００６８】
＜第２実施形態＞
図１２は、本実施形態の電池１０の電極体２５の模式的かつ例示的な平面図である。図１２に示されるように、本実施形態は、集電部５１の形状が第１実施形態に対して主に異なる。
【００６９】
具体的には、本実施形態では、集電部５１の端部２５ａ，２５ｂの切断部５１ｄが、電極体２５の軸方向の中心部に向かって窪んだ凹状に構成されている。切断部５１ｄは、例えば、Ｚ方向から見た場合に略Ｖ字状に構成されている。また、集電部５１には、切断部５１ｄによって、切断部５１ｄに面した窪み部５１ｊが形成されている。窪み部５１ｊは、電極体２５（集電部５１）の軸方向の中心部に向かって窪むとともに電極体２５の両端部２５ｃ，２５ｄに渡った溝状に構成されている。窪み部５１ｊは、切欠部や凹部、溝部、欠如部とも称される。
【００７０】
また、切断部５１ｄには、第１実施形態と同様に、接合部５２が設けられている。接合部５２は、窪み部５１ｊに面している。
【００７１】
以上のように、本実施形態では、集電部５１には、窪み部５１ｊが設けられ、接合部５２は、切断部５１ｄに設けられて窪み部５１ｊに面している。このような構成によれば、接合部５２によって切断部５１ｄの強度が向上しているので、窪み部５１ｊによって切断部５１ｄに応力集中が発生した場合でも、切断部５１ｄの変形が抑制される。
【００７２】
＜第３実施形態＞
図１３は、本実施形態の電池１０の電極体２５の模式的かつ例示的な平面図である。図１３に示されるように、本実施形態は、集電部５１の形状が第１実施形態に対して主に異なる。
【００７３】
具体的には、本実施形態では、集電部５１の端部２５ａ，２５ｂの切断部５１ｄが、中心軸Ａｘに対して傾斜している。一例として、切断部５１ｄは、筐体２０の壁部２０ａ（図２）から壁部２０ｃ（図２）に向かうにつれて、すなわちＸ方向に向かうにつれて電極体２５の軸方向の中心部から離間するように、中心軸Ａｘに対して傾斜している。また、切断部５１ｄには、第１実施形態と同様に、接合部５２が設けられている。
【００７４】
＜第４実施形態＞
図１４は、本実施形態の電池１０の電極体２５の模式的かつ例示的な正面図である。図１５は、本実施形態の電池１０の電極体２５の模式的かつ例示的な側面図である。図１４，１５に示されるように、本実施形態は、集電部５１の形状が第１実施形態に対して主に異なる。
【００７５】
具体的には、本実施形態では、四つの切断部５１ｄが、電極体２５の四隅のそれぞれに設けられている。詳細には、一つの切断部５１ｄが、正極集電部５１Ａの軸方向の端部２５ａと正極集電部５１Ａの第一方向Ｄ１の一方の端部５１ｇとに渡って設けられている。また、一つの切断部５１ｄが、正極集電部５１Ａの端部２５ａと正極集電部５１Ａの第一方向Ｄ１の他方の端部５１ｈとに渡って設けられている。また、一つの切断部５１ｄが、負極集電部５１Ｂの軸方向の端部２５ｂと負極集電部５１Ｂの第一方向Ｄ１の一方の端部５１ｇとに渡って設けられている。また、一つの切断部５１ｄが、負極集電部５１Ｂの軸方向の端部２５ｂと負極集電部５１Ｂの第一方向Ｄ１の他方の端部５１ｈとに渡って設けられている。このように、本実施形態では、集電部５１の第一方向Ｄ１の両端部５１ｇ，５１ｈのうち少なくとも一方（一例として両方）に、切断部５１ｄが設けられている。
【００７６】
切断部５１ｄは、中心軸Ａｘに対して傾斜している。切断部５１ｄは、端部２５ａ，２５ｂにおける第一方向Ｄ１に延びた直状部５１ｋから、電極体２５の軸方向の中心部側に向かうにしたがい中心軸Ａｘから離間するように、中心軸Ａｘに対して傾斜している。また、切断部５１ｄには、第１実施形態と同様に、接合部５２が設けられている。
【００７７】
また、集電部５１は、ベース部５１ｍと、接続部５１ｎと、を有している。ベース部５１ｍは、集電部５１のうち発電部５０から所定の長さだけ軸方向に延びた部分であり、基体部２５ｅの一部と、一対の折返部２５ｆ，２５ｇの一部と、を含んでいる。接続部５１ｎは、ベース部５１ｍから軸方向に突出している。接続部５１ｎは、基体部２５ｅの一部と、直状部５１ｋと、を含んでいる。接続部５１ｎの第一方向Ｄ１の両側に切断部５１ｄが設けられている。このような構成の接続部５１ｎは、一対の延部２５ｅａ，２５ｅｂの一部、具体的には一対の延部２５ｅａ，２５ｅｂのそれぞれの一部と、一対の折返部２５ｆ，２５ｇの一部、具体的には一対の折返部２５ｆ，２５ｇのそれぞれの一部と、を含む。正極集電部５１Ａの接続部５１ｎは、正極リード２６と接合され、正極リード２６を介して正極端子２３に電気的に接続されている。負極集電部５１Ｂの接続部５１ｎは、負極リード２７と接合され、負極リード２７を介して負極端子２４に電気的に接続されている。なお、図１４では、ベース部５１ｍと接続部５１ｎとの境界の一例が、一点鎖線で示されている。接続部５１ｎは、突出部や凸部とも称される。
【００７８】
＜第５実施形態＞
図１６は、本実施形態の電池１０の電極体２５の模式的かつ例示的な正面図である。図１７は、本実施形態の電池１０の電極体２５の模式的かつ例示的な側面図である。図１６，１７に示されるように、本実施形態では、第４実施形態と同様に、四つの切断部５１ｄが、電極体２５の四隅のそれぞれに設けられている。
【００７９】
ただし、本実施形態では、切断部５１ｄは、軸方向に延びた第一延部５１ｄａと、第一方向Ｄ１に延びた第二延部５１ｄｂと、を有している。第一延部５１ｄａと第二延部５１ｄｂとの接続部５１ｄｃは、湾曲状に形成されている。接続部５１ｄｃは、角部とも称される。
【００８０】
切断部５１ｄに面した窪み部５１ｊは、直状部５１ｋに対して、電極体２５の軸方向の中心部に向かって窪んでいる。窪み部５１ｊは、電極体２５の中心軸Ａｘの軸方向の中心部および第一方向Ｄ１の中心部に向かって窪んでいるとも言える。また、切断部５１ｄには、接合部５２が設けられている。接合部５２は、第一延部５１ｄａ、第二延部５１ｄｂ、および接続部５１ｄｃのいずれか一つ以上に設けられている。接合部５２は、窪み部５１ｊに面している。
【００８１】
また、集電部５１は、ベース部５１ｍと、接続部５１ｎと、を有している。ベース部５１ｍは、集電部５１のうち発電部５０から所定の長さだけ軸方向に延びた部分であり、基体部２５ｅの一部と、一対の折返部２５ｆ，２５ｇの一部と、切断部５１ｄの第二延部５１ｄｂと、を含んでいる。ベース部５１ｍの接続部５１ｎが設けられた端部のうち露出している部分によって、第二延部５１ｄｂが構成されている。接続部５１ｎは、ベース部５１ｍから軸方向に突出している。接続部５１ｎは、基体部２５ｅの一部と、直状部５１ｋと、切断部５１ｄの第一延部５１ｄａと、を含んでいる。接続部５１ｎの第一方向Ｄ１の端部によって、第一延部５１ｄａが構成されている。接続部５１ｎの第一方向Ｄ１の両側に切断部５１ｄが設けられている。このような構成の接続部５１ｎは、一対の延部２５ｅａ，２５ｅｂの一部、具体的には一対の延部２５ｅａ，２５ｅｂのそれぞれの一部を含み、一対の折返部２５ｆ，２５ｇのうち少なくとも一方、具体的には両方を含まない。すなわち、接続部５１ｎでは、正極３１、負極３２、およびセパレータ３３が折り返されていない。なお、図１６では、ベース部５１ｍと接続部５１ｎとの境界の一例が、一点鎖線で示されている。
【００８２】
＜第６実施形態＞
図１８は、第６実施形態の電池１０の電極体２５の模式的かつ例示的な正面図である。図１９は、第６実施形態の電池１０の電極体２５の模式的かつ例示的な側面図である。
【００８３】
図１８，１９に示されるように、本実施形態では、第５実施形態と同様に、四つの切断部５１ｄが、電極体２５の四隅のそれぞれに設けられ、各切断部５１ｄは、第一延部５１ｄａと、第二延部５１ｄｂと、を有している。ただし、本実施形態では、第一延部５１ｄａと第二延部５１ｄｂとの接続部５１ｄｃは、略直角に形成されている。
【００８４】
＜第７実施形態＞
図２０は、本実施形態の電池１０の電極体２５の模式的かつ例示的な正面図である。図２１は、本実施形態の電池１０の電極体２５の模式的かつ例示的な側面図である。図２０，２１に示されるように、本実施形態は、集電部５１の形状が第１実施形態に対して主に異なる。
【００８５】
具体的には、本実施形態では、二つの切断部５１ｄが、電極体２５の四隅のうち二つの隅に設けられている。詳細には、一つの切断部５１ｄが、正極集電部５１Ａの軸方向の端部２５ａと正極集電部５１Ａの第一方向Ｄ１の一方の端部５１ｇとに渡って設けられている。また、一つの切断部５１ｄが、負極集電部５１Ｂの軸方向の端部２５ｂと負極集電部５１Ｂの第一方向Ｄ１の一方の端部５１ｇとに渡って設けられている。このように、本実施形態では、集電部５１の第一方向Ｄ１の両端部５１ｇ，５１ｈのうち少なくとも一方（一例として一方）には、切断部５１ｄが設けられている。各切断部５１ｄの形状は、例えば、図１８に示された第６実施形態と同じである。なお、各切断部５１ｄの形状は、図１４に示された第４実施形態や図１６に示された第５実施形態の形状であってもよい。
【００８６】
また、本実施形態の集電部５１の接続部５１ｎは、一対の延部２５ｅａ，２５ｅｂのそれぞれの一部および折返部２５ｇの一部を含み、折返部２５ｆを含まない。
【００８７】
＜第８実施形態＞
図２２は、本実施形態の電池１０の電極体２５の模式的かつ例示的な正面図である。図２３は、本実施形態の電池１０の電極体２５の模式的かつ例示的な側面図である。図２２，２３に示されるように、本実施形態は、集電部５１の形状が第１実施形態に対して主に異なる。
【００８８】
具体的には、本実施形態では、二つの切断部５１ｄが、電極体２５の四隅のうち二つの隅に設けられている。詳細には、一つの切断部５１ｄが、正極集電部５１Ａの端部２５ａと正極集電部５１Ａの第一方向Ｄ１の他方の端部５１ｈとに渡って設けられている。また、一つの切断部５１ｄが、負極集電部５１Ｂの軸方向の端部２５ｂと負極集電部５１Ｂの第一方向Ｄ１の他方の端部５１ｈとに渡って設けられている。このように、本実施形態では、集電部５１の第一方向Ｄ１の両端部５１ｇ，５１ｈのうち少なくとも一方（一例として一方）には、切断部５１ｄが設けられている。各切断部５１ｄの形状は、例えば、図１８に示された第６実施形態と同じである。なお、各切断部５１ｄの形状は、図１４に示された第４実施形態や図１６に示された第５実施形態の形状であってもよい。
【００８９】
また、本実施形態の集電部５１の接続部５１ｎは、一対の延部２５ｅａ，２５ｅｂのそれぞれの一部および折返部２５ｆの一部を含み、折返部２５ｇを含まない。
【００９０】
＜第９実施形態＞
図２４は、本実施形態の電池１０の電極体２５の模式的かつ例示的な正面図である。図２５は、本実施形態の電池１０の電極体２５の模式的かつ例示的な側面図である。図２６は、本実施形態の電池１０の電極体２５の模式的かつ例示的な斜視図である。図２４〜２６に示されるように、本実施形態は、集電部５１の形状が第１実施形態に対して主に異なる。
【００９１】
具体的には、本実施形態では、集電部５１は、第５実施形態と同様に、ベース部５１ｍと、接続部５１ｎと、を有している。ただし、本実施形態の接続部５１ｎは、基体部２５ｅの一部および直状部５１ｋの他に、折返部２５ｇの一部を含んでいる。また、接続部５１ｎに含まれた基体部２５ｅの一対の延部２５ｅａ，２５ｅｂの第一方向Ｄ１の長さが互いに異なる。一例として、接続部５１ｎに含まれた延部２５ｅａの第一方向Ｄ１の長さの方が、接続部５１ｎに含まれた延部２５ｅｂの第一方向Ｄ１の長さよりも短い。なお、接続部５１ｎに含まれた延部２５ｅａの第一方向Ｄ１の長さの方が、接続部５１ｎに含まれた延部２５ｅｂの第一方向Ｄ１の長さよりも長くてもよい。
【００９２】
また、切断部５１ｄは、各集電部５１に一つずつ設けられている。切断部５１ｄは、集電部５１の第一方向Ｄ１の一方の端部５１ｇに設けられている。
【００９３】
切断部５１ｄは、二つの第一延部５１ｄａａ，５１ｄａｂと、一つの第二延部５１ｄｂと、を有している。第一延部５１ｄａａは、接続部５１ｎに含まれた一対の延部２５ｅａ，２５ｅｂのうち一方（延部２５ｅａ）の第一方向Ｄ１の一方（上方）の端部によって構成され、軸方向に延びている。また、第一延部５１ｄａｂは、接続部５１ｎに含まれた一対の延部２５ｅａ，２５ｅｂのうち他方（延部２５ｅｂ）の第一方向Ｄ１の一方（上方）の端部によって構成され、軸方向に延びている。第二延部５１ｄｂは、ベース部５１ｍの接続部５１ｎが設けられた端部のうち露出している部分によって構成され、第一方向Ｄ１に延びている。また、第二延部５１ｄｂは、二つの第一延部５１ｄａａ，５１ｄａｂを接続している。
【００９４】
切断部５１ｄに面した窪み部５１ｊは、直状部５１ｋに対して、電極体２５の軸方向の中心部側に向かって窪んでいる。また、切断部５１ｄには、接合部５２が設けられている。接合部５２は、窪み部５１ｊに面している。
【００９５】
また、本実施形態の集電部５１の接続部５１ｎは、一対の延部２５ｅａ，２５ｅｂのそれぞれの一部および折返部２５ｇの一部を含み、折返部２５ｆを含まない。
【００９６】
また、本実施形態では、電池１０の製造方法において、レーザ照射装置による基材６０（図８）の切断では、レーザ光を遮蔽可能な遮蔽板（不図示）が基材６０の所定の位置に挿入された状態で行なわれる。このような遮蔽板によって、レーザ光による切断枚数を調整することができる。遮蔽板は、例えば金属材料によって構成されうる。金属材料は、例えば、タングステンであってよい。タングステンは、金属材料の中でも最も融点が高い材料であるため、レーザ光の高出力化を図ることができる。なお、遮蔽板は、本実施形態以外の実施形態でも用いられうる。
【００９７】
＜第１０実施形態＞
図２７は、本実施形態の電池１０の電極体２５の模式的かつ例示的な正面図である。図２８は、本実施形態の電池１０の電極体２５の模式的かつ例示的な側面図である。図２７，２８に示されるように、本実施形態では、第９実施形態と同様に、集電部５１は、ベース部５１ｍと、接続部５１ｎと、を有し、切断部５１ｄは、各集電部５１に一つずつ設けられている。
【００９８】
ただし、本実施形態の集電部５１は、第９実施形態の集電部５１と、電極体２５（集電部５１）の第一方向Ｄ１の中心を通るＸＹ平面に関して面対称に形成されている。具体的には、本実施形態の接続部５１ｎは、基体部２５ｅの一部および直状部５１ｋの他に、折返部２５ｆの一部を含んでいる。また、接続部５１ｎに含まれた延部２５ｅａの第一方向Ｄ１の長さの方が、接続部５１ｎに含まれた延部２５ｅｂの第一方向Ｄ１の長さよりも短い。なお、接続部５１ｎに含まれた延部２５ｅｂの第一方向Ｄ１の長さの方が、接続部５１ｎに含まれた延部２５ｅａの第一方向Ｄ１の長さよりも長くてもよい。
【００９９】
また、切断部５１ｄは、集電部５１の第一方向Ｄ１の他方の端部５１ｈに設けられている。切断部５１ｄは、二つの第一延部５１ｄａａ，５１ｄａｂと、一つの第二延部５１ｄｂと、を有している。第一延部５１ｄａａは、接続部５１ｎに含まれた一対の延部２５ｅａ，２５ｅｂのうち一方（延部２５ｅａ）の第一方向Ｄ１の他方（下方）の端部によって構成され、軸方向に延びている。また、第一延部５１ｄａｂは、接続部５１ｎに含まれた一対の延部２５ｅａ，２５ｅｂのうち他方（延部２５ｅｂ）の第一方向Ｄ１の他方（下方）の端部によって構成され、軸方向に延びている。第二延部５１ｄｂは、ベース部５１ｍの接続部５１ｎが設けられた端部のうち露出している部分によって構成され、第一方向Ｄ１に延びている。また、第二延部５１ｄｂは、二つの第一延部５１ｄａａ，５１ｄａｂを接続している。
【０１００】
切断部５１ｄに面した窪み部５１ｊは、直状部５１ｋに対して、電極体２５の軸方向の中心部側に向かって窪んでいる。また、切断部５１ｄには、接合部５２が設けられている。接合部５２は、窪み部５１ｊに面している。
【０１０１】
また、本実施形態の集電部５１の接続部５１ｎは、一対の延部２５ｅａ，２５ｅｂのそれぞれの一部および折返部２５ｆの一部を含み、折返部２５ｇを含まない。
【０１０２】
＜第１１実施形態＞
図２９は、本実施形態の電池１０の電極体２５の模式的かつ例示的な正面図である。図３０は、本実施形態の電池１０の電極体２５の模式的かつ例示的な側面図である。図２９，３０に示されるように、本実施形態は、集電部５１の形状が第１実施形態に対して主に異なる。
【０１０３】
具体的には、本実施形態では、切断部５１ｄは、各集電部５１の第一方向Ｄ１の中間部に一つずつ設けられ、直状部５１ｋから電極体２５の軸方向の中心に向かう凹状に構成されている。
【０１０４】
切断部５１ｄは、二つの第一延部５１ｄａａ，５１ｄａｂと、一つの第二延部５１ｄｂと、を有している。二つの第一延部５１ｄａａ，５１ｄａｂは、第一方向Ｄ１に互いに間隔を設けられ、直状部５１ｋから電極体２５の軸方向の中心に向かって、軸方向に延びている。二つの第一延部５１ｄａａ，５１ｄａｂは、それぞれ基体部２５ｅの二つの延部２５ｅａ，２５ｅｂに渡って設けられている。第二延部５１ｄｂは、第一方向Ｄ１に延び、二つの第一延部５１ｄａａ，５１ｄａｂの直状部５１ｋとは反対側の端部を接続している。
【０１０５】
切断部５１ｄに面した窪み部５１ｊは、直状部５１ｋに対して、電極体２５の軸方向の中心部側に向かって窪むとともに、電極体２５の厚さ方向（Ｘ方向）に集電部５１を貫通している。また、切断部５１ｄには、接合部５２が設けられている。接合部５２は、窪み部５１ｊに面している。
【０１０６】
＜第１２実施形態＞
図３１は、本実施形態の電池１０の電極体２５の模式的かつ例示的な正面図である。図３１に示されるように、本実施形態では、第１１実施形態と同様に、切断部５１ｄは、各集電部５１の第一方向Ｄ１の中間部に一つずつ設けられ、直状部５１ｋから電極体２５の軸方向の中心に向かう凹状に構成されている。また、切断部５１ｄは、二つの第一延部５１ｄａａ，５１ｄａｂと、一つの第二延部５１ｄｂと、を有している。ただし、本実施形態では、二つの第一延部５１ｄａａの軸方向の長さが第１１実施形態に対して長い。すなわち、窪み部５１ｊの深さが深い。
【０１０７】
＜第１３実施形態＞
図３２は、本実施形態の電池１０の電極体２５の模式的かつ例示的な正面図である。図３３は、本実施形態の電池１０の電極体２５の模式的かつ例示的な側面図である。図３４は、図３３のXXXIV-XXXIV線に沿った断面を概略的に示す図である。図３２〜３４に示されるように、本実施形態は、集電部５１の形状が第１実施形態に対して主に異なる。
【０１０８】
具体的には、本実施形態では、切断部５１ｄは、各集電部５１の第一方向Ｄ１の中間部に一つずつ設けられ、直状部５１ｋから電極体２５の軸方向の中心に向かう凹状に構成されている。
【０１０９】
切断部５１ｄは、二つの第一延部５１ｄａａ，５１ｄａｂと、一つの第二延部５１ｄｂと、を有している。二つの第一延部５１ｄａａ，５１ｄａｂは、第一方向Ｄ１に互いに間隔を設けられ、直状部５１ｋから電極体２５の軸方向の中心に向かって、軸方向に延びている。二つの第一延部５１ｄａａ，５１ｄａｂは、基体部２５ｅの二つの延部２５ｅａ，２５ｅｂのうち一方（延部２５ｅａ）だけに設けられている。第二延部５１ｄｂは、第一方向Ｄ１に延び、二つの第一延部５１ｄａａ，５１ｄａｂの直状部５１ｋとは反対側の端部を接続している。
【０１１０】
切断部５１ｄに面した窪み部５１ｊは、直状部５１ｋに対して、電極体２５の軸方向の中心部側に向かって窪むとともに、電極体２５の厚さ方向（Ｘ方向）に延部２５ｅａを貫通している。窪み部５１ｊは、軸方向に延部２５ｅｂと面している。また、切断部５１ｄには、接合部５２が設けられている。接合部５２は、窪み部５１ｊに面している。
【０１１１】
＜第１４実施形態＞
図３５は、本実施形態の電池１０の電極体２５の模式的かつ例示的な正面図である。図３６は、本実施形態の電池１０の電極体２５の模式的かつ例示的な側面図である。図３７は、図３６のXXXVII-XXXVII線に沿った断面を概略的に示す図である。図３５〜３７に示されるように、本実施形態は、集電部５１の形状が第１実施形態に対して主に異なる。
【０１１２】
具体的には、本実施形態では、集電部５１は、第５実施形態と同様に、ベース部５１ｍと、接続部５１ｎと、を有している。ただし、本実施形態の接続部５１ｎは、軸方向から見て、集電部５１における第一方向Ｄ１の半分の領域（図３６では、左半分の領域）に設けられている。接続部５１ｎは、基体部２５ｅの一対の延部２５ｅａ，２５ｅｂのうち一方（延部２５ｅｂ）の一部と、一対の曲部２５ｈ，２５ｉを含み、折返部２５ｆ，２５ｇを含まない。曲部２５ｈ，２５ｉは、正極３１や負極３２が、延部２５ｅａの第一方向Ｄ１の端部から略９０度の範囲で折返部２５ｆ，２５ｇに沿って湾曲した構成となっている。すなわち、曲部２５ｈ，２５ｉでは、正極３１や負極３２は、折り返されていない。曲部２５ｈ，２５ｉは、折返部２５ｆ，２５ｇから軸方向に延びている。なお、図３６では、曲部２５ｈ，２５ｉと、延部２５ｅａとの境界が、一点鎖線で示されている。
【０１１３】
また、切断部５１ｄは、各集電部５１に一つずつ設けられている。切断部５１ｄは、二つの第一延部５１ｄａａ，５１ｄａｂと、一つの第二延部５１ｄｂと、を有している。第一延部５１ｄａａ，５１ｄａｂは、接続部５１ｎに含まれた一対の曲部２５ｈ，２５ｉの第一方向Ｄ１（Ｘ方向の反対方向）を向いた端部によって構成され、軸方向に延びている。また、第二延部５１ｄｂは、ベース部５１ｍの接続部５１ｎが設けられた端部のうち露出している部分によって構成され、第一方向Ｄ１に延びている。すなわち、第二延部５１ｄｂは、基体部２５ｅの延部２５ｅａと、折返部２５ｆ，２５ｇとを含む。また、第二延部５１ｄｂは、二つの第一延部５１ｄａａ，５１ｄａｂを接続している。
【０１１４】
切断部５１ｄに面した窪み部５１ｊは、直状部５１ｋに対して、電極体２５の軸方向の中心部側に向かって窪んでいる。また、切断部５１ｄには、接合部５２が設けられている。接合部５２は、窪み部５１ｊに面している。
【０１１５】
また、本実施形態の集電部５１の接続部５１ｎは、一対の延部２５ｅａ，２５ｅｂの一部、具体的には延部２５ｅｂの一部を含み、延部２５ｅａおよび一対の折返部２５ｆ，２５ｇを含まない。
【０１１６】
＜第１５実施形態＞
図３８は、本実施形態の電池１０の電極体２５の模式的かつ例示的な正面図である。図３９は、本実施形態の電池１０の電極体２５の模式的かつ例示的な側面図である。図４０は、図３９のXL-XL線に沿った断面を概略的に示す図である。図３８〜４０に示されるように、本実施形態は、集電部５１の形状が第１実施形態に対して主に異なる。
【０１１７】
具体的には、本実施形態では、集電部５１は、第５実施形態と同様に、ベース部５１ｍと、接続部５１ｎと、を有している。ただし、本実施形態の接続部５１ｎは、集電部５１に含まれる一対の延部２５ｅａ，２５ｅｂのうち一方（延部２５ｅａ）における第一方向Ｄ１の中間部に設けられている。
【０１１８】
また、切断部５１ｄは、各集電部５１に一つずつ設けられている。切断部５１ｄは、二つの第一延部５１ｄａａ，５１ｄａｂと、一つの第二延部５１ｄｂと、を有している。第一延部５１ｄａａ，５１ｄａｂは、接続部５１ｎの第一方向Ｄ１の一方（Ｚ方向）または他方（Ｚ方向の反対方向）を向いた端部によって構成され、軸方向に延びている。また、第二延部５１ｄｂは、ベース部５１ｍの接続部５１ｎが設けられた端部のうち露出している部分によって構成され、第一方向Ｄ１に延びている。第二延部５１ｄｂは、基体部２５ｅの延部２５ｅａ，２５ｅｂの一部と、折返部２５ｆ，２５ｇの一部とを含む。また、第二延部５１ｄｂは、二つの第一延部５１ｄａａ，５１ｄａｂを接続している。
【０１１９】
切断部５１ｄに面した窪み部５１ｊは、直状部５１ｋに対して、電極体２５の軸方向の中心部側に向かって窪んでいる。また、切断部５１ｄには、接合部５２が設けられている。接合部５２は、窪み部５１ｊに面している。
【０１２０】
また、本実施形態の集電部５１の接続部５１ｎは、一対の延部２５ｅａ，２５ｅｂの一部、具体的には延部２５ｅａの一部を含み、延部２５ｅｂおよび一対の折返部２５ｆ，２５ｇを含まない。
【０１２１】
＜第１６実施形態＞
図４１は、本実施形態の電池１０の電極体２５の模式的かつ例示的な正面図である。図４２は、本実施形態の電池１０の電極体２５の模式的かつ例示的な側面図である。図４１，４２に示されるように、本実施形態は、集電部５１の形状が第１実施形態に対して主に異なる。
【０１２２】
具体的には、本実施形態では、各集電部５１に、互いに形状の異なる複数（一例として二つ）の切断部５１ｄＡ，５１ｄＢが設けられている。切断部５１ｄＡは、図１６に示された第５実施形態の切断部５１ｄと同様であり、切断部５１ｄＢは、図２９に示された第１１実施形態の切断部５１ｄと同様である。なお、切断部５１ｄＡおよび切断部５１ｄＢの大きさは、図１６に示された切断部５１ｄおよび図２９に示された切断部５１ｄと同じであってもよいし異なっていてもよい。そして各切断部５１ｄＡ，５１ｄＢに、接合部５２が設けられている。
【０１２３】
以上、本発明の実施形態を例示したが、上記実施形態はあくまで一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。上記実施形態は、発明の範囲や要旨に含まれるとともに、請求の範囲に記載された発明とその均等の範囲に含まれる。また、各構成要素のスペック（構造や、種類、方向、形状、大きさ、長さ、幅、厚さ、高さ、数、配置、位置、材質等）は、適宜に変更して実施することができる。
【図１】
2019088047.tif 000003
【図２】
2019088047.tif 000004
【図３】
2019088047.tif 000005
【図４】
2019088047.tif 000006
【図５】
2019088047.tif 000007
【図６】
2019088047.tif 000008
【図７】
2019088047.tif 000009
【図８】
2019088047.tif 000010
【図９】
2019088047.tif 000011
【図１０】
2019088047.tif 000012
【図１１】
2019088047.tif 000013
【図１２】
2019088047.tif 000014
【図１３】
2019088047.tif 000015
【図１４】
2019088047.tif 000016
【図１５】
2019088047.tif 000017
【図１６】
2019088047.tif 000018
【図１７】
2019088047.tif 000019
【図１８】
2019088047.tif 000020
【図１９】
2019088047.tif 000021
【図２０】
2019088047.tif 000022
【図２１】
2019088047.tif 000023
【図２２】
2019088047.tif 000024
【図２３】
2019088047.tif 000025
【図２４】
2019088047.tif 000026
【図２５】
2019088047.tif 000027
【図２６】
2019088047.tif 000028
【図２７】
2019088047.tif 000029
【図２８】
2019088047.tif 000030
【図２９】
2019088047.tif 000031
【図３０】
2019088047.tif 000032
【図３１】
2019088047.tif 000033
【図３２】
2019088047.tif 000034
【図３３】
2019088047.tif 000035
【図３４】
2019088047.tif 000036
【図３５】
2019088047.tif 000037
【図３６】
2019088047.tif 000038
【図３７】
2019088047.tif 000039
【図３８】
2019088047.tif 000040
【図３９】
2019088047.tif 000041
【図４０】
2019088047.tif 000042
【図４１】
2019088047.tif 000043
【図４２】
2019088047.tif 000044
【国際調査報告】
2019088047.tif 000045
2019088047.tif 000046
2019088047.tif 000047
2019088047.tif 000048